(57)【特許請求の範囲】
【請求項１】
天井スラブから垂下された吊りボルトに連結され、天井材に設けられた埋込穴に挿通される本体部と、
前記本体部の外周面の下端部から全周にわたって外向きに突出する鍔部と、
前記鍔部の上面よりも上方に突出して前記天井材の下面に接触するように構成され、前記鍔部の上面を前記天井材の下面に接触させる場合よりも前記天井材との間に作用する摩擦力が低減されるように構成された接触部とを有することを特徴とする照明器具。
【請求項２】
前記接触部は、前記鍔部に対して回転可能に保持された球体からなることを特徴とする請求項１記載の照明器具。
【請求項３】
前記鍔部の前記上面に固定されており前記球体を回転可能に保持する球体受けを更に備えることを特徴とする請求項２記載の照明器具。
【請求項４】
天井スラブから垂下された吊りボルトに連結され、天井材に設けられた埋込穴に挿通される本体部と、
前記本体部の外周面の下端部から全周にわたって外向きに突出する鍔部と、
前記鍔部の上面よりも上方に突出して前記天井材の下面に接触するように構成され、上端を下端に対して水平方向に変位させるような弾性変形が可能な複数の弾性部とを有し、
前記複数の弾性部は、前記本体部の周りに間を空けて設けられていることを特徴とする照明器具。
【発明の詳細な説明】
【技術分野】
【０００１】
本発明は、照明器具に関し、特に、天井スラブから吊下げ支持される照明器具に関する。
【背景技術】
【０００２】
従来、天井スラブから垂下された吊りボルトにより吊下げ支持される照明器具が提供されている（例えば、特許文献１参照）。
【０００３】
また、一般的な建築では、下方から見て天井スラブを覆い天井面を構成する天井材が設けられる。天井材は平板からなり、照明器具を支持する上記の吊りボルトとは別途の吊りボルト等により天井スラブから吊下げ支持される。天井スラブと天井材との間には配線スペースと呼ばれる隙間が設けられる。
【０００４】
上記の照明器具には、天井材に設けられた埋込穴に挿通されて上記の吊りボルトに連結される本体部と、下方から見て埋込穴の内周面と本体部の外周面との間の隙間を覆う鍔部とが設けられる。
【先行技術文献】
【特許文献】
【０００５】
【特許文献１】実開昭６１−４２７２１号公報
【発明の概要】
【発明が解決しようとする課題】
【０００６】
地震が発生したとき、比較的に重量が大きい照明器具の振幅は、天井材の振幅よりも小さくなる。このような場合には、埋込穴を本体部に対して十分に大きくすれば、天井材に対する照明器具の衝突を避けることができる。しかしながら、上記のように埋込穴が十分に大きい場合であっても、例えば鍔部の上面と天井材の下面との間の摩擦力によって天井材の横揺れが阻害されると、吊りボルトと天井材とを連結する金具や天井材自体に過剰な力が加わってしまう可能性がある。
【０００７】
天井材の揺れが阻害されないように、鍔部を天井材に接触させない場合、天井材に対する照明器具の姿勢が安定しない。従って、例えば照明器具が複数個並べて配置される場合に天井面（天井材の下面）からの突出寸法が照明器具毎に異なって見栄えが悪くなる可能性がある。
【０００８】
本発明の目的は、天井材の横揺れに対する影響を抑えながらも、天井材に対する姿勢を安定させることができる照明器具を提供することにある。
【課題を解決するための手段】
【０００９】
本発明の照明器具は、天井スラブから垂下された吊りボルトに連結され、天井材に設けられた埋込穴に挿通される本体部と、前記本体部の外周面の下端部から全周にわたって外向きに突出する鍔部と、前記鍔部の上面よりも上方に突出して前記天井材の下面に接触するように構成され、前記鍔部の上面を前記天井材の下面に接触させる場合よりも前記天井材との間に作用する摩擦力が低減されるように構成された接触部とを有することを特徴とする。
【００１０】
本発明の別の照明器具は、天井スラブから垂下された吊りボルトに連結され、天井材に
設けられた埋込穴に挿通される本体部と、前記本体部の外周面の下端部から全周にわたって外向きに突出する鍔部と、前記鍔部の上面よりも上方に突出して前記天井材の下面に接触するように構成され、上端を下端に対して水平方向に変位させるような弾性変形が可能な複数の弾性部とを有し、前記複数の弾性部は、前記本体部の周りに間を空けて設けられていることを特徴とする。
【発明の効果】
【００１１】
本発明の照明器具によれば、接触部が設けられず且つ鍔部の上面が天井材に接触する場合に比べ、天井材の横揺れに対する影響が抑えられる。また、接触部が設けられず且つ鍔部が天井材に接触しない場合に比べ、天井材に対する姿勢を安定させることができる。
【００１２】
本発明の別の照明器具によれば、弾性部が設けられず且つ鍔部の上面が天井材に接触する場合に比べ、天井材の横揺れに対する影響が抑えられる。また、弾性部が設けられず且つ鍔部が天井材に接触しない場合に比べ、天井材に対する姿勢を安定させることができる。
【図面の簡単な説明】
【００１３】
【図１】本発明の実施形態に係る照明器具が固定された状態を示す断面図である。
【図２】上記の照明器具の要部を示す断面図である。
【図３】上記の照明器具の変更例を示す斜視図である。
【図４】上記の照明器具の別の変更例を示す斜視図である。
【図５】上記の照明器具の更に別の変更例を示す斜視図である。
【図６】比較例を示す断面図である。
【図７】別の比較例を示す断面図である。
【図８】上記の照明器具の別の変更例の要部を示す断面図である。
【図９】上記の照明器具の更に別の変更例の要部を示す断面図である。
【図１０】図９の例において弾性部が弾性変形した状態の要部を示す断面図である。
【図１１】上記の照明器具の更に別の変更例の要部を示す断面図である。
【図１２】図１１の例において弾性部が弾性変形した状態の要部を示す断面図である。
【図１３】上記の照明器具の変更例を示す斜視図である。
【図１４】上記の照明器具の別の変更例を示す斜視図である。
【図１５】上記の照明器具の更に別の変更例を示す斜視図である。
【発明を実施するための形態】
【００１４】
（実施の形態）
図１に示すように、本発明に係る照明器具１において、本体部３１は、天井スラブ４０から垂下された吊りボルト４１に連結され、天井材４４に設けられた埋込穴４４０に挿通される。鍔部３２は、本体部３１の外周面の下端部から全周にわたって外向きに突出する。接触部３３は、鍔部３２の上面よりも上方に突出して天井材４４の下面に接触するように構成され、鍔部３２の上面を天井材４４の下面に接触させる場合よりも天井材４４との間に作用する摩擦力が低減されるように構成されている。
【００１５】
上記の照明器具１において、接触部３３は、鍔部３２に対して回転可能に保持された球体からなることが望ましい。
【００１６】
また、本発明に係る別の照明器具１において、本体部３１は、天井スラブ４０から垂下された吊りボルト４１に連結され、天井材４４に設けられた埋込穴４４０に挿通される。鍔部３２は、本体部３１の外周面の下端部から全周にわたって外向きに突出する。図９及び図１０に示すように、弾性部３７は、鍔部３２の上面よりも上方に突出して天井材４４の下面に接触するように構成され、上端を下端に対して水平方向に変位させるような弾性変形が可能である。
【００１７】
以下、本発明の実施形態について、図面を参照しながら説明する。
【００１８】
図１に示すように、本実施形態の照明器具１は、光源２と、光源２を保持した器具本体３とを備える。
【００１９】
光源２としては、例えば発光ダイオードのような周知の光源を用いることができる。
【００２０】
器具本体３は、下面が開口した有底筒状であって光源２を収納及び保持した本体部３１と、本体部３１の外周面から全周にわたって突出した鍔部３２とを備える。器具本体３は金属で構成されてもよいし、樹脂で構成されてもよい。
【００２１】
本体部３１の底面には、それぞれ天井スラブ４０から垂下された吊りボルト４１を挿通される少なくとも１個（図では２個）のボルト挿通孔３１１が設けられている。天井スラブ４０は例えばコンクリートからなる。吊りボルト４１は、軸方向を上下方向に向けて上端部を例えば埋め込みによって天井スラブ４０に固定されたスタッドボルトである。ボルト挿通孔３１１に挿通された吊りボルト４１の下端部が、ボルト挿通孔３１１に挿通不可能なナット４２にねじ込まれることで、器具本体３は吊りボルト４１に連結される。すなわち、器具本体３は、吊りボルト４１により、天井スラブ４０から吊下げ支持される。また、本体部３１の底面には、光源２に接続される電線４３が挿通される電線挿通孔３１２も設けられている。器具本体３には、電線４３が接続される例えばねじ端子や速結端子のような周知の端子構造を有して光源２に電気的に接続された端子台（図示せず）が収納されていてもよい。光源２は、外部の電源（図示せず）から上記の電線４３や端子台を通じて電力を供給されて点灯する。ナット４２の締め付けや、光源２に対する電線４３の接続の際に、光源２を器具本体３から一時的に取り外すことができるように、器具本体３に対して光源２が着脱可能とされていてもよい。器具本体３に対して光源２を着脱自在に取り付ける方法としては、例えば、嵌合やねじ止めが考えられる。
【００２２】
また、本体部３１は、天井材４４に設けられた埋込穴４４０に挿通される。埋込穴４４０は鍔部３２を挿通不可能な寸法形状とされ、埋込穴４４０の内周面と本体部３１の外周面との間の隙間は下方から見て鍔部３２により覆われる。
【００２３】
照明器具１が天井材４４に対して相対的に水平方向に揺れた場合にも器具本体３の本体部３１の外周面が埋込穴４４０の内周面に当たらないように、埋込穴４４０の寸法形状は器具本体３の本体部３１の寸法形状に対して十分に大きくされることが望ましい。具体的には例えば、埋込穴４４０の内周面と本体部３１の外周面との間の距離は６ｃｍ以上とされる。また、上記のように埋込穴４４０の寸法形状が十分に大きくされている場合にも下方から見て埋込穴４４０の内周面と本体部３１の外周面との間の隙間を覆うことができるように、鍔部３２の寸法形状は十分に大きくされることが望ましい。
【００２４】
さらに、鍔部３２の上側には、鍔部３２の上面よりも上方に突出して天井材４４の下面に接触するように構成された接触部３３が複数個設けられている。各接触部３３は、それぞれ、鍔部３２の上面を天井材４４の下面に接触させる場合よりも天井材４４との間に作用する摩擦力を低減するように構成されている。より具体的には、各接触部３３はそれぞれ球体からなり、鍔部３２の上面に固定されて球面状の凹部を有する球体受け３４に嵌め込まれることで鍔部３２に対して回転可能に保持されている。つまり、上記の接触部３３と球体受け３４とで、いわゆるボールキャスターが構成されている。
【００２５】
照明器具１を固定する際には、全ての接触部３３が図２に示すように天井材４４の下面に接触するまで、ナット４２が締め付けられる。
【００２６】
器具本体３の本体部３１は、図３に示すように細長い有底角筒形状であってもよいし、図４に示すように上方から見て正方形となる有底角筒形状であってもよいし、図５に示すように有底円筒形状であってもよい。図４の例ではボルト挿通孔３１１は底面の中心（対角線の交点）に１個だけ設けられ、図５の例ではボルト挿通孔３１１は底面の中心に１個だけ設けられている。
【００２７】
また、１個の接触部３３に力が集中してかかることを避けるためには、接触部３３は、本体部３１の外周面に沿って等間隔に配置されることが望ましい。図３の例では、接触部３３は、本体部３１の上方から見た４隅付近と長辺の中央付近にそれぞれ１個ずつ配置されている。図４の例では、接触部３３は、本体部３１の上方から見た４隅付近にそれぞれ１個ずつ配置されている。図５の例では、接触部３３は、本体部３１の外周面に沿って約１２０°おきに等間隔に３個配置されている。
【００２８】
上記構成によれば、天井材４４に横揺れが発生したときには、接触部３３が鍔部３２に対して回転することで、天井材４４との間に作用する摩擦力が低減される。従って、図６に示すように接触部３３が設けられず且つ鍔部３２の上面が天井材４４に接触する場合に比べ、天井材４４の横揺れを阻害しにくい（つまり、天井材４４の横揺れに対する影響が抑えられる）。従って、天井材４４を吊下げ支持する支持ボルト（図示せず）と天井材４４とを互いに連結する金具（図示せず）や、天井材４４自体の破損が発生しにくい。
【００２９】
また、図７に示すように接触部３３が設けられず且つ鍔部３２が天井材４４に接触しない場合に比べ、天井材４４に対する姿勢を安定させることができる。また、複数の照明器具１が並べて配置される場合において、鍔部３２の上方への接触部３３の突出寸法が全ての照明器具１で共通であれば、天井材４４の下方への照明器具１の突出寸法を均一とすることができる。
【００３０】
なお、接触部３３は、鍔部３２を天井材４４に接触させる図６のような場合に比べて天井材４４との間に作用する摩擦力を低減するものであれば、上記のような球体に限られない。例えば、図８に示すように、摩擦係数が鍔部３２の上面の摩擦係数よりも小さい滑りテープ（例えばフッ素樹脂テープ）からなる接触部３５を設けてもよい。図８の例における接触部３５は、鍔部３２の上面に設けられた凸部３６の上面に貼着されていることで、鍔部３２の上端よりも上方に突出している。
【００３１】
また、上記のような接触部３３，３５に代えて、図９及び図１０に示すように鍔部３２よりも上方に突出して天井材４４の下面に接触するように構成され、上端部を下端部に対して水平方向に変位させるような弾性変形を可能とされた弾性部３７を設けてもよい。このように弾性変形可能な弾性部３７は例えばエラストマや図１１〜図１５に示すようなコイルスプリングを用いて実現することができる。この場合においても、図６の場合に比べて天井材４４に対する影響が抑えられ、また、図７の場合に比べて天井材４４に対する姿勢を安定させることができる。
【符号の説明】
【００３２】
１  照明器具
３１  本体部
３２  鍔部
３３，３５  接触部
３７  弾性部
４０  天井スラブ
４１  吊りボルト
４４  天井材
【図１】
0006432823.tif 000002
【図２】
0006432823.tif 000003
【図３】
0006432823.tif 000004
【図４】
0006432823.tif 000005
【図５】
0006432823.tif 000006
【図６】
0006432823.tif 000007
【図７】
0006432823.tif 000008
【図８】
0006432823.tif 000009
【図９】
0006432823.tif 000010
【図１０】
0006432823.tif 000011
【図１１】
0006432823.tif 000012
【図１２】
0006432823.tif 000013
【図１３】
0006432823.tif 000014
【図１４】
0006432823.tif 000015
【図１５】
0006432823.tif 000016